(57)【特許請求の範囲】
【請求項１】
基地局が無線端末との間で発生間隔に周期性があるトラヒックのデータ通信を行うための無線リソース割り当て方法であって、
前記端末の通信路品質を取得し、
前記通信路品質が品質判定しきい値を超え又は以上であれば、周期的に使用できる無線リソースを予約する予約型スケジューリング方法を選択し、
前記通信路品質が前記品質判定しきい値以下又は未満であれば、無線リソースを割り当てる度に前記端末に割り当て情報を通知する非予約型スケジューリング方法を選択し、
前記選択したスケジューリング方法を用いて前記端末とのデータ通信を行い、
前記予約型スケジューリング方法及び前記非予約型スケジューリング方法が行う前記データ通信は、同一周波数帯域である
無線リソース割り当て方法。
【請求項２】
前記トラヒックは、音声トラヒックである
請求項１に記載の無線リソース割り当て方法。
【請求項３】
前記トラヒックは、Gamingトラヒックである
ことを特徴とする請求項１に記載の無線リソース割り当て方法。
【請求項４】
前記トラヒックは、データサイズがデータサイズしきい値未満の伝送レート保証型のトラヒックである
請求項１に記載の無線リソース割り当て方法。
【請求項５】
前記データ通信は上りリンクのデータ通信である
請求項１から請求項４のいずれかに記載の無線リソース割り当て方法。
【請求項６】
前記データ通信は下りリンクのデータ通信である
請求項１から請求項４のいずれかに記載の無線リソース割り当て方法。
【請求項７】
前記非予約型スケジューリング方法を選択中の端末数を測定し、
前記選択中の端末数が許容端末数しきい値を超え又は以上である場合には、予約型スケジューリングを選択する
請求項１から請求項６のいずれかに記載の無線リソース割り当て方法。
【請求項８】
前記非予約型スケジューリング方法を選択中の端末数を測定し、
非予約型スケジューリング方法を選択中で、かつ、前記端末よりも通信路品質が高い高品質端末を検索し、
前記選択中の端末数が許容端末数しきい値である場合には、前記高品質端末には予約型スケジューリング方法を選択し、前記端末には非予約型スケジューリング方法を選択する請求項１から請求項６のいずれかに記載の無線リソース割り当て方法。
【請求項９】
発生間隔に周期性のないトラヒックでのデータ通信中である、スケジューリング方法選択対象外の端末数を測定し、
前記許容端末数しきい値は、前記対象外の端末数によって変更する
請求項７又は請求項８に記載の無線リソース割り当て方法。
【請求項１０】
基地局と無線端末とからなり、前記基地局と前記無線端末との間で発生間隔に周期性があるトラヒックのデータ通信を行うために無線リソース割り当てを行う無線通信システムであって、
前記基地局は、
前記端末の通信路品質を取得する通信路品質取得部と、
前記通信路品質が品質判定しきい値を超え又は以上であれば、周期的に使用できる無線リソースを予約する予約型スケジューリング方法を選択し、品質判定しきい値以下又は未満であれば、無線リソースを割り当てる度に前記端末に割り当て情報を通知する非予約型スケジューリング方法を選択するスケジューリング方法選択部と、
前記選択したスケジューリング方法を前記端末に適用してデータ通信を行うスケジューリング部と
を有し、
前記予約型スケジューリング方法及び前記非予約型スケジューリング方法が行う前記データ通信は、同一周波数帯域である無線通信システム。
【請求項１１】
前記トラヒックは、音声トラヒックである
請求項１０に記載の無線通信システム。
【請求項１２】
前記トラヒックは、Gamingトラヒックである
ことを特徴とする請求項１０に記載の無線通信システム。
【請求項１３】
前記トラヒックは、データサイズがデータサイズしきい値未満の伝送レート保証型のトラヒックである
請求項１０に記載の無線通信システム。
【請求項１４】
前記データ通信は上りリンクのデータ通信である
請求項１０から請求項１３のいずれかに記載の無線通信システム。
【請求項１５】
前記データ通信は下りリンクのデータ通信である
請求項１０から請求項１３のいずれかに記載の無線通信システム。
【請求項１６】
前記スケジューリング方法選択部は、前記非予約型スケジューリング方法を選択中の端末数を測定し、前記選択中の端末数が許容端末数しきい値を超え又は以上である場合には、予約型スケジューリングを選択する
請求項１０から請求項１５のいずれかに記載の無線通信システム。
【請求項１７】
前記スケジューリング方法選択部は、前記非予約型スケジューリング方法を選択中の端末数を測定し、非予約型スケジューリング方法を選択中で、かつ、前記端末よりも通信路品質が高い高品質端末を検索し、前記選択中の端末数が許容端末数しきい値である場合には、前記高品質端末には予約型スケジューリング方法を選択し、前記端末には非予約型スケジューリング方法を選択する
請求項１０から請求項１５のいずれかに記載の無線通信システム。
【請求項１８】
前記スケジューリング方法選択部は、発生間隔に周期性のないトラヒックでのデータ通信中である、スケジューリング方法選択対象外の端末数を測定し、前記許容端末数しきい値は、前記対象外の端末数によって変更する
請求項１６又は請求項１７に記載の無線通信システム。
【請求項１９】
無線端末との間で発生間隔に周期性があるトラヒックのデータ通信を行うために無線リソース割り当てを行う基地局であって、
前記端末の通信路品質を取得する通信路品質取得部と、
前記通信路品質が品質判定しきい値を超え又は以上であれば、周期的に使用できる無線リソースを予約する予約型スケジューリング方法を選択し、品質判定しきい値以下又は未満であれば、無線リソースを割り当てる度に前記端末に割り当て情報を通知する非予約型スケジューリング方法を選択するスケジューリング方法選択部と、
前記選択したスケジューリング方法を前記端末に適用してデータ通信を行うスケジューリング部と
を有し、
前記予約型スケジューリング方法及び前記非予約型スケジューリング方法が行う前記データ通信は、同一周波数帯域である基地局。
【請求項２０】
前記トラヒックは、音声トラヒックである
請求項１９に記載の基地局。
【請求項２１】
前記トラヒックは、Gamingトラヒックである
ことを特徴とする請求項１９に記載の基地局。
【請求項２２】
前記トラヒックは、データサイズがデータサイズしきい値未満の伝送レート保証型のトラヒックである
請求項１９に記載の基地局。
【請求項２３】
前記データ通信は上りリンクのデータ通信である
請求項１９から請求項２２のいずれかに記載の基地局。
【請求項２４】
前記データ通信は下りリンクのデータ通信である
請求項１９から請求項２２のいずれかに記載の基地局。
【請求項２５】
前記スケジューリング方法選択部は、前記非予約型スケジューリング方法を選択中の端末数を測定し、前記選択中の端末数が許容端末数しきい値を超え又は以上である場合には、予約型スケジューリングを選択する
請求項１９から請求項２４のいずれかに記載の基地局。
【請求項２６】
前記スケジューリング方法選択部は、前記非予約型スケジューリング方法を選択中の端末数を測定し、非予約型スケジューリング方法を選択中で、かつ、前記端末よりも通信路品質が高い高品質端末を検索し、前記選択中の端末数が許容端末数しきい値である場合には、前記高品質端末には予約型スケジューリング方法を選択し、前記端末には非予約型スケジューリング方法を選択する
請求項１９から請求項２４のいずれかに記載の基地局。
【請求項２７】
前記スケジューリング方法選択部は、発生間隔に周期性のないトラヒックでのデータ通信中である、スケジューリング方法選択対象外の端末数を測定し、前記許容端末数しきい値は、前記対象外の端末数によって変更する
請求項２５又は請求項２６に記載の基地局。
【請求項２８】
無線端末との間で発生間隔に周期性があるトラヒックのデータ通信を行うための無線リソース割り当てを行うコンピュータのプログラムであって、
前記端末の通信路品質を取得する通信路品質取得処理と、
前記通信路品質が品質判定しきい値を超え又は以上であれば、周期的に使用できる無線リソースを予約する予約型スケジューリング方法を選択し、品質判定しきい値以下又は未満であれば、無線リソースを割り当てる度に前記端末に割り当て情報を通知する非予約型スケジューリング方法を選択するスケジューリング方法選択処理と、
前記選択したスケジューリング方法を前記端末に適用してデータ通信を行うスケジューリング処理と
をコンピュータに実行させ、
前記予約型スケジューリング方法及び前記非予約型スケジューリング方法が行う前記データ通信は、同一周波数帯域であるプログラム。
【発明の詳細な説明】
【技術分野】
【０００１】
本発明は、リソース割り当て方法、無線通信システム、基地局及びプログラムに関する。
【背景技術】
【０００２】
3GPP (3rd Generation Partnership Project) において標準化がなされているLTE(Long Term Evolution)などのセルラ環境では、無線基地局を複数配置することを前提としており、各無線基地局は自局の通信エリア内の無線端末と通信を行う。この通信エリアをセルと呼ぶが、アンテナに指向性を持たせることでセルを複数に分割することもできる。この分割された領域をセクタセルと呼ぶ。以下ではセルとはセクタセルを指すものとする。【０００３】
ＬＴＥでは、スケジューリング方法としてダイナミックスケジューリングとパーシステントスケジューリングが採用されている。（例えば、非特許文献１参照）
ダイナミックスケジューリングでは、端末のチャネル品質に応じてTTI(Transmission Time Interval)毎にリソースを割り当てる。リソースとは、無線帯域の割り当て単位であるＰＲＢ（Physical Resource Block）と、ＭＣＳ（Modulation and Coding Schemes）である。ダイナミックスケジューリングは、チャネル品質を用いてスケジューリングを行うために受信品質の良好なＰＲＢを割り当てることが可能であるが、リソースを割り当てる度にスケジューリング情報を制御チャネルにより送信する必要がある。従って、制御チャネルのリソースが不足した場合、同一送信タイミングで送信可能なユーザ数が制限される。一般的に、発生間隔やサイズが不規則なバーストトラヒックにダイナミックスケジューリングが適用される。【０００４】
一方、パーシステントスケジューリングと呼ばれる予約型のスケジューリング方式は、ＶｏＩＰ（Voice over Internet Protocol）などが有しているトラヒックの発生周期の規則性を利用して、周期的に使用できるリソースを予約しておくスケジューリング方式である。予約することで、ＴＴＩ毎のスケジューリング情報の送信を省略でき、制御チャネルのリソース不足を回避できる。従って、ＶｏＩＰトラヒックなど、データサイズが小さいトラヒックにパーシステントスケジューリングを使用すれば、ダイナミックスケジューリングと比較して、同一送信タイミングで送信可能な端末数を大幅に増やすことができる。一般的に、発生間隔に周期性があり、データサイズが小さいＶｏＩＰトラヒックにダイナミックスケジューリングが適用される。【０００５】
ＶｏＩＰトラヒックは有音区間と無音区間とから構成されるが、特に、有音区間など特定の期間に適用されるパーシステントスケジューリングをセミパーシステントスケジューリングと呼ぶ。尚、有音区間とは、音声パケット（Voice Packet）が連続的に到着する区間である。無音区間とは、背景雑音パケット(SID(Silence Insertion Description) Packet)が連続的に到着する区間である。【０００６】
また、有音区間に発生するパケットのサイズは、無音区間に発生するパケットのサイズよりも大きい。また、有音区間に発生するパケットの発生周期は、無音区間に発生するパケットの発生周期よりも短い。一般的に、無音区間の送信失敗はＱｏｓに影響しないので、有音区間にのみパーシステントスケジューリングを適用することで、無音区間への無駄なリソース割り当てを避ける。
【先行技術文献】
【非特許文献】
【０００７】
【非特許文献１】3GPP TS 36.300 V9.7.0 (2011-03), 3GPP TSG RAN E-UTRA and E-UTRAN Overall description Stage 2, pp.75-76
【発明の概要】
【発明が解決しようとする課題】
【０００８】
しかし、ＶｏＩＰトラヒックなど、周期的に発生し、データサイズの小さいトラヒックに対して、パーシステントスケジューリングを適用すると、パケットの送信遅延が大きくなり、許容遅延時間(Delay Budget)や保証伝送レート(GBR: Guaranteed Bit Rate)など、トラヒックのサービス毎に規定されるＱｏＳ（Quality of Service）を満足できない問題があった。【０００９】
また、パーシステントスケジューリングは予め予約されたＰＲＢを固定的に割り当てるスケジューリング方式である。このため、予約したＰＲＢの受信信号が継続的に落ち込んだ時や隣接するセルから予約したＰＲＢに対して継続的に強い干渉を受けた時、受信品質が大きく劣化してしまう。更には、セル端端末は音声パケットデータを送信できる受信品質を1TTIでは達成できない確率が高く、再送回数が多くなる。以上から、パーシステントスケジューリングを適用すると、パケットの送信失敗の確率が増加するために、送信遅延が増大してＱｏＳを満足できない問題が発生する。【００１０】
そこで、本発明は上記課題に鑑みて発明されたものであって、その目的は、最大収容端末数（キャパシティ）を維持しながら、ＱｏＳを満足できるエリア（カバレッジ）を拡大するリソース割り当て方法、無線通信システム、基地局及びプログラムを提供することである。
【課題を解決するための手段】
【００１１】
本発明は、基地局が無線端末との間で発生間隔に周期性があるトラヒックのデータ通信を行うための無線リソース割り当て方法であって、前記端末の通信路品質を取得し、前記通信路品質が品質判定しきい値を超え又は以上であれば、周期的に使用できる無線リソースを予約する予約型スケジューリング方法を選択し、前記通信路品質が前記品質判定しきい値以下又は未満であれば、無線リソースを割り当てる度に前記端末に割り当て情報を通知する非予約型スケジューリング方法を選択し、前記選択したスケジューリング方法を用いて前記端末とのデータ通信を行う無線リソース割り当て方法である。【００１２】
本発明は、基地局と無線端末とからなり、前記基地局と前記無線端末との間で発生間隔に周期性があるトラヒックのデータ通信を行うために無線リソース割り当てを行う無線通信システムであって、前記基地局は、前記端末の通信路品質を取得する通信路品質取得部と、前記通信路品質が品質判定しきい値を超え又は以上であれば、周期的に使用できる無線リソースを予約する予約型スケジューリング方法を選択し、品質判定しきい値以下又は未満であれば、無線リソースを割り当てる度に前記端末に割り当て情報を通知する非予約型スケジューリング方法を選択するスケジューリング方法選択部と、前記選択したスケジューリング方法を前記端末に適用してデータ通信を行うスケジューリング部とを有する無線通信システムである。【００１３】
本発明は、無線端末との間で発生間隔に周期性があるトラヒックのデータ通信を行うために無線リソース割り当てを行う基地局であって、前記端末の通信路品質を取得する通信路品質取得部と、前記通信路品質が品質判定しきい値を超え又は以上であれば、周期的に使用できる無線リソースを予約する予約型スケジューリング方法を選択し、品質判定しきい値以下又は未満であれば、無線リソースを割り当てる度に前記端末に割り当て情報を通知する非予約型スケジューリング方法を選択するスケジューリング方法選択部と、前記選択したスケジューリング方法を前記端末に適用してデータ通信を行うスケジューリング部とを有する基地局である。【００１４】
本発明は、無線端末との間で発生間隔に周期性があるトラヒックのデータ通信を行うための無線リソース割り当てを行うコンピュータのプログラムであって、前記端末の通信路品質を取得する処理と、前記通信路品質が品質判定しきい値を超え又は以上であれば、周期的に使用できる無線リソースを予約する予約型スケジューリング方法を選択し、品質判定しきい値以下又は未満であれば、無線リソースを割り当てる度に前記端末に割り当て情報を通知する非予約型スケジューリング方法を選択する処理と、前記選択したスケジューリング方法を前記端末に適用してデータ通信を行う処理とをコンピュータに実行させるプログラムである。
【発明の効果】
【００１５】
本発明によれば、最大収容端末数（キャパシティ）を維持しながら、ＱｏＳを満足できるエリア（カバレッジ）を拡大することができる。
【図面の簡単な説明】
【００１６】
【図１】図１は第１の実施の形態における無線通信システムの構成を示すフローチャートである。
【図２】図２は、第１の実施の形態におけるスケジューリング方法選択の判定処理を示すフローチャートである。
【図３】図３は、第１の実施の形態における有音区間と無音区間の判定処理を示すフローチャートである。
【図４】図４は、第１の実施の形態におけるスケジューリング方法を設定する判定処理を示すフローチャートである。
【図５】図５は、第２の実施の形態におけるスケジューリング方法選択の判定処理を示すフローチャートである。
【図６】図６は、第３の実施の形態におけるスケジューリング方法選択の判定処理を示すフローチャートである。
【図７】図７は、第４の実施の形態における無線通信システムの構成を示すフローチャートである。
【図８】図８は、第４の実施の形態における有音区間と無音区間の判定処理を示すフローチャートである。
【発明を実施するための形態】
【００１７】
＜第１の実施の形態＞
図１は、本発明の第１の実施の形態における無線通信システムの構成を示すブロック図である。
【００１８】
図１を参照すると、本無線通信システムは、基地局１００と端末２００とを含む。基地局１００は、自局通信エリア内に存在する端末２００との間で無線チャネルによって無線通信を行う無線通信装置であり、図示しないネットワークと接続され、隣接基地局とデータ通信を行うことも可能である。また、図示していないが、基地局１００は複数の端末と接続できる。また、基地局も複数存在することができる。無線帯域は割り当て単位のリソースブロック（ＲＢ）に分割されている。本実施の形態では、無線通信システムとしてＬＴＥの上りリンクを例に説明する。
【００１９】
基地局１００は、主な機能部として、基地局動作部１０１と、受信強度測定部１０２と、スケジューリング方法選択部１０３と、スケジューラ１０４とを備えている。
【００２０】
基地局動作部１０１は、無線通信システムにおいて一般的に用いられる基地局と同等の機能を有しており、その構成及び動作については周知であるのでその説明を省略する。
【００２１】
受信強度測定部１０２は、端末から受信したリファレンス信号やデータ信号の受信電力やＳＩＮＲ（Signal to Interference plus Noise Ratio）などの通信路品質を測定し、通信路品質情報として基地局動作部１０１やスケジューリング方法選択部１０３に報告する機能を有する。データ信号の通信路品質に応じたスケジューリングを行うために、信号成分はリファレンス信号の測定結果を、干渉成分はデータ信号の測定結果をそれぞれ用いる。
【００２２】
スケジューリング方法選択部１０３は、端末のＶｏＩＰトラヒックの有音区間と無音区間を判定する機能を有する。更に、スケジューリング方法選択部１０３は、受信強度測定部１０２で測定した通信路品質情報や端末から報告されるバッファステータスレポート（ＢＳＲ）に基づき、端末にダイナミックスケジューリング（DS：Dynamic Scheduling）を選択するか、セミパーシステントスケジューリング（SPS：Semi-Persistent Scheduling）を選択するか判定する機能を有する。判定結果は、スケジューラ１０４に通知される。本実施形態では、スケジューリング方法選択部１０３で用いる通信路品質情報をＳＩＮＲとする。
【００２３】
スケジューラ１０４は、スケジューリング方法選択部１０３の判定結果に基づき、ダイナミックスケジューリングやパーシステントスケジューリングにより端末２００に割り当てるＰＲＢ、ＭＣＳを決定する機能や、パーシステントスケジューリングで割り当てたリソースを開放する機能を有する。これら割り当てや開放に関するスケジューリング情報は基地局動作部１０１を介して、端末に通知される。
【００２４】
ダイナミックスケジューリングでは、送信データサイズ（TBS：Transport Block Size）が最大となるよう、リソースを割り当てる。ＴＢＳは、ルックアップテーブルを参照して、ＴＢＳインデックスと割り当てＲＢ数を用いて計算できる。ＴＢＳの計算方法は、例えば、非特許文献２（3GPP TS 36.213 V9.3.0 (2010-09), 3GPP TSG RAN EUTRAN Physical layer procedures, pp27-34）などに記載されている。この際、ＴＢＳインデックスもルックアップテーブル（非特許文献２）を参照して、ＭＣＳインデックスを用いて一意に決定できる。また、ＭＣＳインデックスは、ルックアップテーブルを参照して、データ信号の実効ＳＩＮＲを用いて計算できる。実効ＳＩＮＲとは、各ＲＢのＳＩＮＲのばらつきを考慮して計算された割り当てＲＢのＳＩＮＲ代表値であり、受信強度測定部１０２で測定する。一般的には、ＳＩＮＲからＭＣＳインデックスを計算するためのルックアップテーブルは物理レイヤを模擬したリンクレベルシミュレーションにより作成する。
【００２５】
また、パーシステントスケジューリングでは、音声パケットを１ＴＴＩで送信できるよう、データ信号の送信に使用可能な全ＲＢの平均的なＳＩＮＲを用いてリソースを割り当てる。
【００２６】
端末２００は、主な機能部として、端末動作部２０１と、リファレンス信号発生部２０２と、送信バッファ部２０３とを備える。
【００２７】
端末動作部２０１は、無線通信システムにおいて一般的に用いられる端末と同等の機能を有しており、その構成及び動作については周知であるのでその説明を省略する。
【００２８】
リファレンス信号発生部２０２は、通信路品質の基準となるリファレンス信号を所定のタイミングで端末動作部２０１を介して、基地局１００に送信する機能を有する。
【００２９】
送信バッファ部２０３は、トラヒックデータを発生する機能と、端末動作部２０１を介して滞留しているトラヒックのサイズ（バッファサイズ）などのトラヒック情報をＢＳＲとして基地局１００に送信（報告）する機能を有する。ＬＴＥでは、トラヒックタイプ別に論理的な無線チャネルを確立するのが一般的である。また、上りリンクでは、１つ以上の論理チャネルで論理チャネルグループを構成し、論理チャネルグループ毎にＢＳＲが報告される。
【００３０】
次に、図２、図３、図４を参照して、本実施の形態の動作について説明する。
【００３１】
図２は、スケジューリング方法選択部１０３が、端末へのスケジューリング方法に、ダイナミックスケジューリングを選択するか、セミパーシステントスケジューリングを選択するかを判定する動作手順を示すものである。本動作は、端末毎に設定した所定周期に実施する。
【００３２】
まず、スケジューリング方法選択部１０３は、端末ｕのトラヒックがＶｏＩＰトラヒックか判定する（Ｓ１）。トラヒックの判定には、ＱＣＩ（Qos Class Identifier）（例えば、非特許文献３：3GPP TS 23.203 V9.9.0 (2011-06), 3GPP TSG SSA Policy and charging control architecture, pp.30-33など参照）パラメータを用いる。ＱＣＩではＱｏＳクラス規定を規定でき、ＧＢＲとＮｏｎ―ＧＢＲのタイプ、Priority、Packet Delay Budgetなどを規定できる。
【００３３】
次に、ＶｏＩＰトラヒックでない場合（Ｓ１、Ｎｏ）、端末ｕに対してダイナミックスケジューリングを選択中でなければ（Ｓ２、Ｎｏ）、端末ｕに対してダイナミックスケジューリングを選択することをスケジューラ１０４に通知する（Ｓ３）。ＶｏＩＰトラヒックであるが（Ｓ１、Ｙｅｓ）、有音区間でない場合（Ｓ４、Ｎｏ）、端末ｕに対してダイナミックスケジューリングを選択中でなければ（Ｓ２、Ｎｏ）、端末ｕにダイナミックスケジューリングを選択する（Ｓ３）。尚、有音区間と無音区間を判別する動作手順は図３で説明する。
【００３４】
次に、有音区間であり（Ｓ４、Ｙｅｓ）、通信路品質情報のＳＩＮＲ（ｕ）がしきい値Ｔｈ＿ＳＩＮＲより小さい場合（Ｓ５、Ｙｅｓ）、端末ｕに対してダイナミックスケジューリングを選択中でなければ（Ｓ６、Ｎｏ）、端末ｕに対してダイナミックスケジューリングを選択することをスケジューラ１０４に通知する（Ｓ７）。また、しきい値Ｔｈ＿ＳＩＮＲ以上の場合（Ｓ５、Ｎｏ）、端末ｕに対してセミパーシステントスケジューリングを選択中でなければ（Ｓ８、Ｎｏ）、端末ｕに対してセミパーシステントスケジューリングを選択することをスケジューラ１０４に通知する（Ｓ９）。
【００３５】
尚、本実施の形態の動作では、通信路品質情報のＳＩＮＲ（ｕ）がしきい値Ｔｈ＿ＳＩＮＲより小さい（未満）場合（Ｓ５、Ｙｅｓ）と、通信路品質情報のＳＩＮＲ（ｕ）がしきい値Ｔｈ＿ＳＩＮＲ以上の場合（Ｓ５、Ｎｏ）との例を説明したが、通信路品質情報のＳＩＮＲ（ｕ）がしきい値Ｔｈ＿ＳＩＮＲ以下の場合と、通信路品質情報のＳＩＮＲ（ｕ）がしきい値Ｔｈ＿ＳＩＮＲを超える場合とに分けて、スケジューリングを選択するようにしても良い。また、以下の実施の形態における説明でも同様である。
【００３６】
図３は、スケジューリング方法選択部１０３が、端末のＶｏＩＰトラヒックの状態が有音区間か無音区間かを判別する動作手順を示すものである。本動作手順は、音声パケットの想定到着周期で実施する。
【００３７】
まず、スケジューリング方法選択部１０３は、前回、有音区間と判定した場合（Ｓ１１、Ｙｅｓ）、最新の第ｎ回目と前回（第ｎ−１回目）のＢＳＲを比較し、そのバッファサイズの増加量（RBS(n)-RBS(n-1)）がしきい値D_TalkToSilence未満であれば（Ｓ１２、Ｙｅｓ）、無音区間に遷移したと判定する（Ｓ１３）。D_TalkToSilenceは、有音区間から無音区間への遷移の判定しきい値である。一方、D_TalkToSilence以上であれば（Ｓ１２、Ｎｏ）、有音区間のままと判定する（Ｓ１４）。
【００３８】
また、前回、有音区間ではなく（Ｓ１１、Ｎｏ）、無音区間と判定した場合（Ｓ１５、Ｙｅｓ）、バッファサイズの増加量がＳ１２と異なるしきい値D_SilenceToTalk以上であれば（Ｓ１６、Ｙｅｓ）、有音区間に遷移したと判定する（Ｓ１７）。D_SilenceToTalkは、無音区間から有音区間への遷移を判定するしきい値である。一方、D_SilenceToTalk未満であれば（Ｓ１６、Ｎｏ）、無音区間のままと判定する（Ｓ１３）。
【００３９】
前回、無音区間とも判定していない場合、今回が初めての判定となる（Ｓ１５、Ｎｏ）。この場合、ＲＢＳ（ｎ）がしきい値D_Talk以上であれば（Ｓ１８、Ｙｅｓ）、有音区間と判定して（Ｓ１７）、D_Talk未満であれば（Ｓ１８、Ｎｏ）、無音区間と判定する（Ｓ１９）。D_Talkは有音区間と判定するしきい値である。
【００４０】
図４は、スケジューラ１０４がスケジューリング方法選択部１０３の判定結果に基づいて端末へのスケジューリング方法を設定する動作手順を示すものである。
【００４１】
まず、スケジューラ１０４は、スケジューリング方法選択部１０３から端末ｕに対してダイナミックスケジューリングを選択することを通知された場合（Ｓ２１、Ｙｅｓ）、端末ｕに対してセミパーシステントスケジューリングでリソースを割り当て中であれば（Ｓ２２、Ｙｅｓ）、その予約しているリソースを開放する。そして、端末ｕに対するスケジューリング方法として、ダイナミックスケジューリングを選択する（Ｓ２４）。
【００４２】
スケジューリング方法選択部１０３から端末ｕに対してセミパーシステントスケジューリングを選択することを通知された場合（Ｓ２１、Ｎｏ）、既にセミパーシステントスケジューリングを選択中でなければ（Ｓ２５、Ｎｏ）、新規にセミパーシステントスケジューリングを選択し、リソースの予約を実施する（Ｓ２６）。
【００４３】
なお、スケジューリング方法が選択されていない端末については、スケジューラ１０４は、初期設定として、ダイナミックスケジューリングを適用する。
【００４４】
本実施形態により、ＳＩＮＲが低い端末に対してダイナミックスケジューリングを選択し、それ以外の端末にはセミパーシステントスケジューリングを選択するので、スケジューリング情報を送信する制御チャネルのリソースが不足によるキャパシティの劣化を回避しつつ、ダイナミックスケジューリングによりカバレッジを拡大できる。
【００４５】
また、本実施形態では、図２のスケジューリング方法の選択を、ＶｏＩＰトラヒックに対してのみ実施しているが、本発明はこれに限ることではなく、例えば、Ｇａｍｉｎｇなど、発生間隔に周期性があり、データサイズが小さいトラヒックであれば適用でき、データサイズが小さい伝送レート保証型の（ＧＢＲ）トラヒックがこのトラヒック該当する。
【００４６】
また、本実施形態では、図２のＶｏＩＰトラヒックの判定を端末につき１回実施しているが、本発明はこれに限ることではなく、例えば、論理チャネルグループ毎に判定を行ってもよい。この場合、ＶｏＩＰトラヒックとバーストトラヒックの両方が発生する端末に対しては、パーシステントスケジューリングとダイナミックスケジューリングが併用できる。
【００４７】
また、本実施形態では、図２のスケジューリング方法を選択する通信路品質にＳＩＮＲを用いていたが、本発明はこれに限ることはなく、例えば、自局の通信エリア内である自セルと隣接局の通信エリアである隣接セルのパスロス差を用いてもよい。更には、自セルと隣接セルのリファレンスの受信電力の差（RSRP：Reference Signal Received Power）を用いてもよい。更には、リファレンス信号の受信電力に対する全受信電力の比（RSRQ：Reference Signal Received Quality）を用いてもよい。
【００４８】
また、本実施形態では、図３の有音区間と無音区間の遷移を、バッファサイズの増加量の１回だけの測定結果で判定していたが、本発明はこれに限ることではなく、例えば、Ｓ１２において、（RBS(n)-RBS(n-1)）がD_TalkToSilence未満である状態が連続Ｎ回続いた場合に、有音区間から無音区間に遷移したと判定してもよい。これにより、音声パケットの到着タイミングのゆらぎに対応でき、有音区間と無音区間の判定精度が向上する。
【００４９】
また、本実施形態では、図３の有音区間と無音区間の判定に、有音区間と無音区間のパケットの想定サイズの差を利用しているが、本発明はこれに限ることでなく、例えば、有音区間と無音区間のパケットの想定発生周期の差を利用してもよい。例えば、所定区間内のバッファサイズの増加量がしきい値未満である場合、有音区間から無音区間に遷移したと判定してもよい。
【００５０】
また、本実施形態では、図３の有音区間と無音区間の判定にＢＳＲを用いているが、本発明はこれに限ることではなく、基地局の受信状態を利用してもよい。例えば、基地局が所定区間内にしきい値以上のトラヒックデータを受信していない場合、無音区間に遷移したと判定してもよい。
【００５１】
また、本実施形態では、図２、３の本動作手順を所定周期でのみで実施していたが、本発明はこれに限ることではなく、例えば、端末と基地局との接続時にも実施してよい。
【００５２】
以上の如く、本実施の形態によれば、発生間隔に周期性があり、データサイズが小さいトラヒックに対して、スケジューリング情報を送信するための制御チャネルのリソース不足による同一送信タイミングで送信可能なユーザ数の制限を回避しながら、ＱｏＳを満足できるエリアを拡大できる。
【００５３】
その理由は、前記通信路品質が品質判定しきい値以上であれば、周期的に使用できる無線リソースを予約する予約型スケジューリング方法を選択し、品質判定しきい値未満であれば、無線リソースを割り当てる度に前記端末に割り当て情報を通知する非予約型スケジューリング方法を選択して、選択したスケジューリング方法を用いて前記端末とのデータ通信を実施するからである。
【００５４】
＜第２の実施の形態＞
次に、本発明の第２の実施の形態について説明する。
【００５５】
尚、第２の実施の形態における無線通信システムの構成を示すブロック図は、第１の実施の形態と同様なので、詳細は省略する。
【００５６】
次に、第２の実施の形態の動作について図面を参照して説明する。第２の実施の形態は、第１の実施の形態と比較して、図２に替えて図５に示す動作を実施する点が異なる。
【００５７】
図５を参照すると、図２のＳ６のＮｏの後に、Ｓ３１が追加されている。即ち、スケジューリング方法選択部１０３は、端末ｕに対してダイナミックスケジューリングを選択中でない場合（Ｓ６、Ｎｏ）、現在ダイナミックスケジューリングが選択されている端末数Nue_DSが、ＶｏＩＰトラヒックの端末に対して予め設定されたダイナミックスケジューリングを適用できる最大端末数Max_Nue_DS未満であるときに（Ｓ３１、Ｙｅｓ）、端末ｕにダイナミックスケジューリングを選択することをスケジューラ１０４に通知する（Ｓ７）。
【００５８】
一方、Nue_DSがMax_Nue_DS以上の場合（Ｓ３１、Ｎｏ）、Ｓ８に移行し、端末ｕに対してセミパーシステントスケジューリングを選択中か判定する。
【００５９】
尚、本実施の形態では、端末数Nue_DSが最大端末数Max_Nue_DS未満であるときに、端末ｕに対してダイナミックスケジューリングを選択することをスケジューラ１０４に通知する場合を例にしたが、端末数Nue_DSが最大端末数Max_Nue_DS以下であるとき、端末ｕにダイナミックスケジューリングを選択することをスケジューラ１０４に通知するようにしても良い。また、以下の実施の形態における説明でも同様である。
【００６０】
本実施の形態により、第１の実施の形態と比較して、ダイナミックスケジューリングにおいてスケジューリング情報を送信する制御チャネルのリソースが不足した場合に発生する同一送信タイミングでの送信可能な端末数の制限を回避できる。
【００６１】
また、本実施形態では、Max_Nue_DSを予め設定された固定値としているが、本発明はこれに限ることではなく、トラヒックの負荷状況で変更してもよい。例えば、バーストトラヒック端末数が少ない場合にはMax_Nue_DSを増加させ、バーストトラヒック端末数が多い場合にはMax_Nue_DSを減少させてもよい、これにより、バーストトラヒック端末数が少ない場合には、ダイナミックスケジューリングを適用できるＶｏＩＰ端末を増加させることでカバレッジの改善を優先し、バーストトラヒック端末数が多い場合には、ダイナミックスケジューリングを適用できるＶｏＩＰ端末を減少させることで制御チャネルのリソース不足の抑制を優先できる。
【００６２】
＜第３の実施の形態＞
次に、本発明の第３の実施の形態について説明する。
【００６３】
尚、第３の実施の形態における無線通信システムの構成を示すブロック図は、第１の実施の形態と同様なので、詳細は省略する。
【００６４】
次に、本実施の形態の動作について図面を参照して説明する。第３の実施の形態は、第２の実施の形態と比較して、図５に替えて図６に示す動作を実施する点が異なる。
【００６５】
図６を参照すると、図５のＳ３１のＮｏの後に、Ｓ４１、Ｓ４２が追加されている。即ち、スケジューリング方法選択部１０３は、Nue_DSがMax_Nue_DS未満である場合（Ｓ３１、Ｙｅｓ）、端末ｕのSINR(SINR(u))とそれ以外の端末ｋのSINR(SINR(k))を比較する（Ｓ４１）。端末ｋは端末ｕ以外でＶｏＩＰトラヒックに対してダイナミックスケジューリングが適用されている端末である。また、Max{}は最大値を選択する関数であり、端末が複数ある場合はＳＩＮＲが最大となるｕ以外の端末ｋとそのＳＩＮＲが選択される。
【００６６】
SINR(u)がMax{SINR(k)}よりも小さい場合（Ｓ４１、Ｙｅｓ）、端末ｋに選択するスケジューリング方法をダイナミックスケジューリングからセミパーシステントスケジューリングに変更することをスケジューラ１０４に通知する（Ｓ４２）。そして、端末ｕにダイナミックスケジューリングを選択することをスケジューラ１０４に通知する（Ｓ７）。また、SINR(u)がMax{SINR(k)}以上となる場合（Ｓ４１、Ｎｏ）、Ｓ８に移行し、端末ｕにセミパーシステントスケジューリングを選択中か判定する。
【００６７】
本実施の形態により、第２の実施形態と比較して、ＳＩＮＲが低い端末から優先してダイナミックスケジューリングを選択することができるので、ダイナミックスケジューリングにおいてスケジューリング情報を送信する制御チャネルのリソースが不足した場合に発生する同一送信タイミングでの送信可能な端末数の制限を回避しつつ、更にカバレッジを改善できる。
【００６８】
＜第４の実施の形態＞
次に、本発明の第４の実施の形態について説明する。本実施の形態では、無線通信システムとしてＬＴＥの下りリンクを例に説明する。
【００６９】
図７は、本実施形態における無線通信システムの構成を示すブロック図である。
【００７０】
基地局３００は、主な機能部として、基地局動作部３０１と、送信バッファ部３０２と、リファレンス信号発生部３０３と、スケジューリング方法選択部３０４と、スケジューラ３０５とを備えている。
【００７１】
基地局動作部３０１は、図１に示した第１の実施の形態の基地局動作部１０１と同様である。
【００７２】
送信バッファ部３０２は、ネットワークから到着するトラヒックデータを、送信先の端末やトラヒックの判定のための情報やバッファサイズとともに保持する機能を有する。
【００７３】
リファレンス信号発生部３０３は、通信路品質の基準となるリファレンス信号を所定のタイミングで基地局動作部３０１を介して、基地局４００に送信する機能を有する。
【００７４】
スケジューリング方法選択部３０４は、図１に示した第１の実施の形態のスケジューリング方法選択部１０３と同様に、端末のＶｏＩＰトラヒックの有音区間と無音区間を判定する機能を有する。更に、スケジューリング方法選択部３０４は、基地局動作部３０１で受信した端末４００から報告される通信路情報や送信バッファ部３０２に保持されたトラヒック情報に基づき、端末にダイナミックスケジューリングを選択するか、セミパーシステントスケジューリングを選択するか判定する機能を有する。判定結果は、スケジューラ３０５に通知される。
【００７５】
本実施の形態では、スケジューリング方法選択部３０４で用いる通信路品質情報としてＣＱＩ（Channel Quality Information）を用いる。ＣＱＩは、ルックアップテーブルを参照して、ＳＩＮＲを用いて計算できる。一般的には、このルックアップテーブルは物理レイヤを模擬したリンクレベルシミュレーションにより作成する。
【００７６】
スケジューラ３０５は、図１に示した第１の実施の形態のスケジューラ１０４と同様である。
【００７７】
端末４００は、主な機能部として、端末動作部４０１と、受信強度測定部４０２とを備えている。
【００７８】
端末動作部４０１は、図１に示した第１の実施の形態の端末動作部２０１と同様である。
【００７９】
受信強度測定部４０２は、基地局３００から受信したリファレンス信号やデータ信号の受信電力やＣＱＩなどの通信路品質を測定し、通信路品質情報として端末動作部４０１を介して、基地局３００に報告する機能を有する。
【００８０】
なお、下りリンクは、上りリンクと異なり、論理チャネルグループは構成されない。基地局３００は、直接送信バッファ部３０２のバッファサイズなど論理チャネル毎に確認できる。
【００８１】
次に、本実施の形態の動作について図面を参照して説明する。第４の実施形態は、第１の実施形態と比較して、図３に替えて図８に示す動作を実施する点が異なる。
【００８２】
図８を参照すると、図３のＳ１２、Ｓ１６、Ｓ１８の判定処理が、それぞれＳ４１、Ｓ４２、Ｓ４３に入れ替わっている。即ち、スケジューリング方法選択部３０４は、現在と前回のバッファサイズを比較し、前回、有音区間と判定した場合（Ｓ１１、Ｙｅｓ）、現在と前回のバッファサイズの増加量（BS(n)-BS(n-1)）を比較し、そのバッファサイズの増加量がしきい値D_TalkToSilence未満であれば（Ｓ４１、Ｙｅｓ）、無音区間に遷移したと判定する（Ｓ１３）。
【００８３】
同様に、前回、無音区間と判定した場合（Ｓ１５、Ｙｅｓ）、バッファサイズの増加量がしきい値D_SilenceToTalk以上であれば（Ｓ４２、Ｙｅｓ）、有音区間に遷移したと判定する（Ｓ１７）。
【００８４】
また、今回が初めての判定である場合（Ｓ１５、Ｎｏ）、ＢＳ（ｎ）がしきい値D_Talk以上であれば（Ｓ４３、Ｙｅｓ）、有音区間と判定し（Ｓ１７）、未満であれば（Ｓ４３、Ｎｏ）、無音区間と判定する（Ｓ１９）。
【００８５】
以上、本発明をいくつかの実施形態について説明したが、本発明は上記実施形態に限定されるものではない。
【００８６】
例えば、ＴＴＩ毎にリソースを割り当てるダイナミックスケジューリングと予約型スケジューリングを併用できる他のシステムにも適用できる。
【００８７】
また、本発明は、複数の機器から構成されるシステムに適用しても良いし、単体の装置に適用しても良い。さらに、本発明は、上記実施形態で説明した機能を実現するプログラムが、システム或いは遠隔から供給されて、実施形態で説明した動作手順の処理を実行する場合にも適用可能である。従って、本発明の機能を基地局で実現するために、基地局にインストールされ基地局内のプロセッサで実行されるプログラム、そのプログラムを格納した媒体、及びそのプログラムをダウンロードさせるサーバも、本発明の範疇に含まれる。
【００８８】
上記の実施形態の一部又は全部は、以下の付記のようにも記載されうるが、以下には限られない。
【００８９】
（付記１）    基地局が無線端末との間で発生間隔に周期性があるトラヒックのデータ通信を行うための無線リソース割り当て方法であって、
前記端末の通信路品質を取得し、
前記通信路品質が品質判定しきい値を超え又は以上であれば、周期的に使用できる無線リソースを予約する予約型スケジューリング方法を選択し、
前記通信路品質が前記品質判定しきい値以下又は未満であれば、無線リソースを割り当てる度に前記端末に割り当て情報を通知する非予約型スケジューリング方法を選択し、
前記選択したスケジューリング方法を用いて前記端末とのデータ通信を行う無線リソース割り当て方法。
【００９０】
（付記２）    前記トラヒックは、音声トラヒックである
付記１に記載の無線リソース割り当て方法。
【００９１】
（付記３）    前記トラヒックは、Gamingトラヒックである
ことを特徴とする付記１に記載の無線リソース割り当て方法。
【００９２】
（付記４）    前記トラヒックは、データサイズがデータサイズしきい値未満の伝送レート保証型のトラヒックである
付記１に記載の無線リソース割り当て方法。
【００９３】
（付記５）    前記データ通信は上りリンクのデータ通信である
付記１から付記４のいずれかに記載の無線リソース割り当て方法。
【００９４】
（付記６）    前記データ通信は下りリンクのデータ通信である
付記１から付記４のいずれかに記載の無線リソース割り当て方法。
【００９５】
（付記７）    前記非予約型スケジューリング方法を選択中の端末数を測定し、
前記選択中の端末数が許容端末数しきい値を超え又は以上である場合には、予約型スケジューリングを選択する
付記１から付記６のいずれかに記載の無線リソース割り当て方法。
【００９６】
（付記８）    前記非予約型スケジューリング方法を選択中の端末数を測定し、
非予約型スケジューリング方法を選択中で、かつ、前記端末よりも通信路品質が高い高品質端末を検索し、
前記選択中の端末数が許容端末数しきい値である場合には、前記高品質端末には予約型スケジューリング方法を選択し、前記端末には非予約型スケジューリング方法を選択する
付記１から付記６のいずれかに記載の無線リソース割り当て方法。
【００９７】
（付記９）    発生間隔に周期性のないトラヒックでのデータ通信中である、スケジューリング方法選択対象外の端末数を測定し、
前記許容端末数しきい値は、前記対象外の端末数によって変更する
付記７又は付記８に記載の無線リソース割り当て方法。
【００９８】
（付記１０）    基地局と無線端末とからなり、前記基地局と前記無線端末との間で発生間隔に周期性があるトラヒックのデータ通信を行うために無線リソース割り当てを行う無線通信システムであって、
前記基地局は、
前記端末の通信路品質を取得する通信路品質取得部と、
前記通信路品質が品質判定しきい値を超え又は以上であれば、周期的に使用できる無線リソースを予約する予約型スケジューリング方法を選択し、品質判定しきい値以下又は未満であれば、無線リソースを割り当てる度に前記端末に割り当て情報を通知する非予約型スケジューリング方法を選択するスケジューリング方法選択部と、
前記選択したスケジューリング方法を前記端末に適用してデータ通信を行うスケジューリング部と
を有する無線通信システム。
【００９９】
（付記１１）    前記トラヒックは、音声トラヒックである
付記１０に記載の無線通信システム。
【０１００】
（付記１２）    前記トラヒックは、Gamingトラヒックである
ことを特徴とする付記１０に記載の無線通信システム。
【０１０１】
（付記１３）    前記トラヒックは、データサイズがデータサイズしきい値未満の伝送レート保証型のトラヒックである
付記１に記載の無線通信システム。
【０１０２】
（付記１４）    前記データ通信は上りリンクのデータ通信である
付記１０から付記１３のいずれかに記載の無線通信システム。
【０１０３】
（付記１５）    前記データ通信は下りリンクのデータ通信である
付記１０から付記１３のいずれかに記載の無線通信システム。
【０１０４】
（付記１６）    前記スケジューリング方法選択部は、前記非予約型スケジューリング方法を選択中の端末数を測定し、前記選択中の端末数が許容端末数しきい値を超え又は以上である場合には、予約型スケジューリングを選択する
付記１０から付記１５のいずれかに記載の無線通信システム。
【０１０５】
（付記１７）    前記スケジューリング方法選択部は、前記非予約型スケジューリング方法を選択中の端末数を測定し、非予約型スケジューリング方法を選択中で、かつ、前記端末よりも通信路品質が高い高品質端末を検索し、前記選択中の端末数が許容端末数しきい値である場合には、前記高品質端末には予約型スケジューリング方法を選択し、前記端末には非予約型スケジューリング方法を選択する
付記１０から付記１５のいずれかに記載の無線通信システム。
【０１０６】
（付記１８）    前記スケジューリング方法選択部は、発生間隔に周期性のないトラヒックでのデータ通信中である、スケジューリング方法選択対象外の端末数を測定し、前記許容端末数しきい値は、前記対象外の端末数によって変更する
付記１６又は付記１７に記載の無線通信システム。
【０１０７】
（付記１９）    無線端末との間で発生間隔に周期性があるトラヒックのデータ通信を行うために無線リソース割り当てを行う基地局であって、
前記端末の通信路品質を取得する通信路品質取得部と、
前記通信路品質が品質判定しきい値を超え又は以上であれば、周期的に使用できる無線リソースを予約する予約型スケジューリング方法を選択し、品質判定しきい値以下又は未満であれば、無線リソースを割り当てる度に前記端末に割り当て情報を通知する非予約型スケジューリング方法を選択するスケジューリング方法選択部と、
前記選択したスケジューリング方法を前記端末に適用してデータ通信を行うスケジューリング部と
を有する基地局。
【０１０８】
（付記２０）    前記トラヒックは、音声トラヒックである
付記１９に記載の基地局。
【０１０９】
（付記２１）    前記トラヒックは、Gamingトラヒックである
ことを特徴とする付記１９に記載の基地局。
【０１１０】
（付記２２）    前記トラヒックは、データサイズがデータサイズしきい値未満の伝送レート保証型のトラヒックである
付記１９に記載の基地局。
【０１１１】
（付記２３）    前記データ通信は上りリンクのデータ通信である
付記１９から付記２２のいずれかに記載の基地局。
【０１１２】
（付記２４）    前記データ通信は下りリンクのデータ通信である
付記１９から付記２２のいずれかに記載の基地局。
【０１１３】
（付記２５）    前記スケジューリング方法選択部は、前記非予約型スケジューリング方法を選択中の端末数を測定し、前記選択中の端末数が許容端末数しきい値を超え又は以上である場合には、予約型スケジューリングを選択する
付記１９から付記２４のいずれかに記載の基地局。
【０１１４】
（付記２６）    前記スケジューリング方法選択部は、前記非予約型スケジューリング方法を選択中の端末数を測定し、非予約型スケジューリング方法を選択中で、かつ、前記端末よりも通信路品質が高い高品質端末を検索し、前記選択中の端末数が許容端末数しきい値である場合には、前記高品質端末には予約型スケジューリング方法を選択し、前記端末には非予約型スケジューリング方法を選択する
付記１９から付記２４のいずれかに記載の基地局。
【０１１５】
（付記２７）    前記スケジューリング方法選択部は、発生間隔に周期性のないトラヒックでのデータ通信中である、スケジューリング方法選択対象外の端末数を測定し、前記許容端末数しきい値は、前記対象外の端末数によって変更する
付記２５又は付記２６に記載の基地局。
【０１１６】
（付記２８）    無線端末との間で発生間隔に周期性があるトラヒックのデータ通信を行うための無線リソース割り当てを行うコンピュータのプログラムであって、
前記端末の通信路品質を取得する通信路品質取得処理と、
前記通信路品質が品質判定しきい値を超え又は以上であれば、周期的に使用できる無線リソースを予約する予約型スケジューリング方法を選択し、品質判定しきい値以下又は未満であれば、無線リソースを割り当てる度に前記端末に割り当て情報を通知する非予約型スケジューリング方法を選択するスケジューリング方法選択処理と、
前記選択したスケジューリング方法を前記端末に適用してデータ通信を行うスケジューリング処理と
をコンピュータに実行させるプログラム。
【０１１７】
（付記２９）    前記トラヒックは、音声トラヒックである
付記２８に記載のプログラム。
【０１１８】
（付記３０）    前記トラヒックは、Gamingトラヒックである
ことを特徴とする付記２８に記載のプログラム。
【０１１９】
（付記３１）    前記トラヒックは、データサイズがデータサイズしきい値未満の伝送レート保証型のトラヒックである
付記２８に記載のプログラム。
【０１２０】
（付記３２）    前記データ通信は上りリンクのデータ通信である
付記２８から付記３１のいずれかに記載のプログラム。
【０１２１】
（付記３３）    前記データ通信は下りリンクのデータ通信である
付記２８から付記３１のいずれかに記載のプログラム。
【０１２２】
（付記３４）    前記非予約型スケジューリング方法を選択中の端末数を測定する処理を有し、
前記スケジューリング方法選択処理は、前記選択中の端末数が許容端末数しきい値を超え又は以上である場合には、予約型スケジューリングを選択する
付記２８から付記３３のいずれかに記載のプログラム。
【０１２３】
（付記３５）    前記非予約型スケジューリング方法を選択中の端末数を測定する処理を有し、
前記スケジューリング方法選択処理は、非予約型スケジューリング方法を選択中で、かつ、前記端末よりも通信路品質が高い高品質端末を検索し、前記選択中の端末数が許容端末数しきい値である場合には、前記高品質端末には予約型スケジューリング方法を選択し、前記端末には非予約型スケジューリング方法を選択する
付記２８から付記３３のいずれかに記載のプログラム。
【０１２４】
（付記３６）    発生間隔に周期性のないトラヒックでのデータ通信中である、スケジューリング方法選択対象外の端末数を測定する処理を有し、
前記スケジューリング方法選択処理は、前記許容端末数しきい値は、前記対象外の端末数によって変更する
付記３４又は付記３５に記載のプログラム。
【０１２５】
以上好ましい実施の形態をあげて本発明を説明したが、本発明は必ずしも上記実施の形態に限定されるものではなく、その技術的思想の範囲内において様々に変形し実施することが出来る。
【０１２６】
本出願は、２０１１年７月１４日に出願された日本出願特願２０１１−１５５９５４号を基礎とする優先権を主張し、その開示の全てをここに取り込む。
【符号の説明】
【０１２７】
１００  基地局
１０１  基地局動作部
１０２  受信強度測定部
１０３  スケジューリング方法選択部
１０４  スケジューラ
２００  端末
２０１  端末動作部
２０２  リファレンス信号発生部
２０３  送信バッファ部
３００  基地局
３０１  基地局動作部
３０２  送信バッファ部
３０３  リファレンス信号発生部
３０４  スケジューリング方法選択部
３０５  スケジューラ
４００  端末
４０１  端末動作部
４０２  受信強度測定部
【図１】
0005871143.tif 000002
【図２】
0005871143.tif 000003
【図３】
0005871143.tif 000004
【図４】
0005871143.tif 000005
【図５】
0005871143.tif 000006
【図６】
0005871143.tif 000007
【図７】
0005871143.tif 000008
【図８】
0005871143.tif 000009